(57)【要約】【課題】  複数枚の床材と上り框とのいずれであっても、簡単且つ正確に製造することができる化粧材を提供する。【解決手段】  長方形状の基板１の表面に、床材の幅及び上り框における見付面の上下端間の幅に等しい幅を有する柾目柄部３と板目柄部４とを複数列、印刷してなる化粧シート２を貼着することによって化粧材を形成し、この化粧材を上記柾目柄部３と板目柄部４の幅毎に切断することによって表面に化粧シート２の柾目柄部を設けた複数枚の細長床材と表面に化粧シート２の板目柄部を設けた複数枚の細長床材とを得ることができる一方、この化粧材から、表面に板目柄部４とこの板目柄部４の一側端に上記柾目柄部３の１／２幅の柾目柄部分を一体に設けてなる複数枚の上り框材を分断、形成し得るように構成している。【選択図】    図１
2007009489.tif 000002
【特許請求の範囲】
【請求項１】
長方形状の基板の表面に、床材の幅及び上り框における見付面の幅に等しい一定幅を有し且つ帯状に長い少なくとも柾目柄部と板目柄部とを複数列、板目柄部の両側端のいずれかに柾目柄部が隣接した配列状態となるように印刷している化粧シートを貼着してなることを特徴とする化粧材。
【請求項２】
化粧シートは、板目柄部の両側端のいずれかに隣接してこの板目柄部と同一幅の柾目柄部又は追柾目柄部を印刷してなることを特徴とする請求項１に記載の化粧材。
【請求項３】
長方形状の基板の表面に一定幅を有し且つ帯状に長い柾目柄部と板目柄部とを複数列、板目柄部の両側端のいずれかに柾目柄部が隣接した配列状態となるように印刷してなる化粧シートを貼着することにより化粧材を形成し、この化粧材を上記柾目柄部と板目柄部の幅毎に切断して表面に柾目柄を設けた複数枚の床材と表面に板目柄を設けた複数枚の床材とを得るか、又は、この化粧材を表面に板目柄部とこの板目柄部の両側端のいずれかに隣接した所定幅の柾目柄部とからなる木目柄を有する複数枚の上り框材に分断し、各上り框材における板目柄部と柾目柄部との境界部分の裏面側に折り曲げ用溝を設けたのち、この折り曲げ用溝を介して直角に折り曲げることにより、板目柄部を見付面に柾目柄部を天面とした上り框を得ることを特徴とする床材又は上り框の製造方法。
【請求項４】
長方形状の基板の表面に一定幅を有し且つ帯状に長い柾目柄部と板目柄部と追柾目柄部とを複数列、板目柄部に柾目柄部又は追柾目柄部のいずれかが隣接した配列状態となるように印刷してなる化粧シートを貼着することにより化粧材を形成し、この化粧材を上記柾目柄部と板目柄部及び追柾目柄部の幅毎に切断して表面にそれぞれの木目柄を設けた複数枚の床材を得るか、又は、この化粧材を表面に板目柄部とこの板目柄部の両側端のいずれかに隣接した柾目柄部又は追柾目柄部における所定幅の柾目柄部分とからなる木目柄を有する複数枚の上り框材に分断し、各上り框材における板目柄部と柾目柄部分との境界部分の裏面側に折り曲げ用溝を設けたのち、この折り曲げ用溝を介して直角に折り曲げることにより、板目柄部を見付面に柾目柄部分を天面とした上り框を得ることを特徴とする床材又は上り框の製造方法。
【発明の詳細な説明】
【技術分野】
【０００１】
本発明は、床材と上り框の両方に使用できる化粧材と、この化粧材を用いた床材又は上り框の製造方法に関する。
【背景技術】
【０００２】
従来から、汎用的な用途に使用される木目柄シートは、例えば、この木目柄シートを基板上に貼着して化粧材を形成したのち、この化粧材を一定の幅毎に切断して複数枚の床材等の建材を得る場合、どの部分を切断しても違和感が生じないように、全体的に木目がはっきりしない柄に印刷されている。そのため、この床材等の建材は漠然とした外観を呈して商品価値が低下する虞れがある。一方、天然木に近づけるために、基板表面に木目柄を顕現させた印刷を施している化粧シートを貼着した化粧板を用いた場合、柄を考慮せずに切断すると、得られた床材等の建材の化粧面に柄の継ぎ目ができて見苦しくなる事態が発生する。例えば、天面が柾目柄で見付面が板目柄となるように構成する必要がある上り框において、柾目柄と目付柄との継ぎ目部が、上り框の角部に配設されることなく天面又は見付面のいずれか一方に偏位した状態で設けられる場合が発生し、見栄えが著しく悪くなるといった問題点がある。
【０００３】
このため、上り框においては、特許文献１に記載されているように、柾目部分を上に向けた木材と板面部分を上に向けた木材とを並べて一体化した集成フリッチをスライスすることにより幅方向の一半部が全長に亘って柾目部で他半部が全長に亘って板目部に形成された化粧単板を設け、この化粧単板を基板上に貼着したのち、柾目部と板目部との継ぎ目部分における基板の裏面側を化粧単板の裏面に達する深さまでＶカット等を施し、この部分から直角に折り曲げることによって、天面が柾目部で見付面が板目部となるように構成している。
【特許文献１】特開平９−４１６４７号公報。
【発明の開示】
【発明が解決しようとする課題】
【０００４】
しかしながら、上記のような天然木の化粧単板では、色や樹種を合わすことができても木目柄まで調整することが困難であり、さらに、化粧単板の作製に手間を要すると共に製品がコスト高になる。また、上り框の製造のみを目的とし、床材等の他の建材に対する適用性については何等の配慮もなされていない。一方、この化粧単板に代えて上述したように、柾目柄部と板目柄部を印刷した化粧シートを基板上に貼着することによって化粧材を形成しておいた場合には上り框を安価に製作することができるが、この化粧材から床材を製造しようとしても、床材と上り框とでは寸法が異なるために、上述したように柾目柄部と板目柄部との境界線部分（継ぎ目部分）が床材表面、或いは、上り框の天面や見付面に現れることになる。そのため、床材と上り框とに専用の化粧シートを使用しなければならないといった問題点がある。
【０００５】
本発明はかかる問題点に鑑みてなされたもので、その目的とするところは、床材と上り框のいずれにでも共用することができる化粧シートを貼着した化粧材と、この化粧材から容易に且つ正確に複数枚の床材又は上り框を得ることができる床材又は上り框の製造方法を提供するにある。
【課題を解決するための手段】
【０００６】
上記目的を達成するために、本発明の化粧材は、請求項１に記載したように、長方形状の基板の表面に、床材の幅及び上り框における見付面の幅に等しい一定幅を有し且つ帯状に長い少なくとも柾目柄部と板目柄部とを複数列、板目柄部の両側端のいずれかに柾目柄部が隣接した配列状態となるように印刷してなる化粧シートを貼着することによって構成している。
【０００７】
このように構成した化粧材において、請求項２に係る発明は、床材と上り框における見付面との幅に等しい一定幅を有する板目柄部の両側端のいずれかに隣接してこの板目柄部と同一幅の柾目柄部又は追柾目柄部を印刷してなる化粧シートを使用していることを特徴とする。
【０００８】
請求項３に係る発明は、上記化粧材から複数枚の床材又は上り框を製造する方法であって、長方形状の基板の表面に一定幅を有し且つ帯状に長い柾目柄部と板目柄部とを複数列、板目柄部の両側端のいずれかに柾目柄部が隣接した配列状態となるように印刷してなる化粧シートを貼着することにより化粧材を形成し、この化粧材を上記柾目柄部と板目柄部の幅毎に切断して表面に柾目柄部を設けた複数枚の床材と表面に板目柄部を設けた複数枚の床材とを得るか、又は、この化粧材を表面に板目柄部とこの板目柄部の両側端のいずれかに隣接した所定幅の柾目柄部とからなる木目柄を有する複数枚の上り框材に分断し、各上り框材における板目柄部と柾目柄部との境界部分の裏面側に折り曲げ用溝を設けたのち、この折り曲げ用溝を介して直角に折り曲げることにより、板目柄部を見付面に柾目柄部を天面とした上り框を得ることを特徴とする。
【０００９】
請求項４に係る発明は、柾目柄部と板目柄部と共にこれらの柾目柄部や板目柄部と同一幅を有する追柾目柄部を印刷してなる化粧シートを表面に貼着した化粧材から床材又は上り框を製造する方法であって、この化粧材を上記柾目柄部と板目柄部及び追柾目柄部の幅毎に切断して表面にそれぞれの木目柄を設けた複数枚の床材を得るか、又は、この化粧材を表面に板目柄部とこの板目柄部の両側端のいずれかに柾目柄部又は追柾目柄部における所定幅の柾目柄部分が並設してなる木目柄部を有する複数枚の上り框材に分断し、各上り框材における板目柄部と柾目柄部分との境界部分の裏面側に折り曲げ用溝を設けたのち、この折り曲げ用溝を介して直角に折り曲げることにより、板目柄部を見付面に柾目柄部分を天面とした上り框を得ることを特徴とする。
【発明の効果】
【００１０】
請求項１に係る発明によれば、床材の幅及び上り框における見付面の幅に等しい一定幅を有し且つ帯状に長い少なくとも柾目柄部と板目柄部とを複数列、板目柄部の両側端のいずれかに柾目柄部が隣接した配列状態となるように印刷してなる化粧シートを、長方形状の基板の表面に貼着することによって化粧材を構成しているので、この化粧材から床材と上り框のいずれであっても、床材の表面や上り框における見付面又は天面に柾目柄部と板目柄部との境界部分が現れることのない複数枚の床材又は上り框が得られる化粧材を提供することができる。さらに、合板等の基板の表面に同一幅を有する上記柾目柄部と板目柄部とを並列状態に印刷している化粧シートを貼着してなるものであるから、安価にしてしかも天然木に近い木目柄を現出させた柾目柄部や板目柄部を有する意匠性に優れた化粧材を提供することができる。
【００１１】
また、請求項２に係る発明によれば、上記基板表面に貼着した化粧シートとして、床材と上り框における見付面との幅に等しい一定幅を有する板目柄部の両側端のいずれかに隣接してこの板目柄部と同一幅の柾目柄部又は追柾目柄部を印刷してなる化粧シートを使用しているので、表面に設けられる木目柄として柾目柄からなる床材と板目柄からなる床材以外に、追柾目柄からなる床材も同時に得ることができると共に、これらの床材に代えて見付面が板目柄からなり天面が柾目柄からなる複数枚の上り框を容易に製造することができる化粧材を提供することができる。
【００１２】
請求項３に係る発明は、上記化粧材から複数枚の床材又は上り框を製造する方法であって、帯状に長い柾目柄部と板目柄部とを複数列、板目柄部の両側端のいずれかに柾目柄部が隣接した配列状態となるように印刷してなる化粧シートにおいて、これらの柾目柄部と板目柄部との幅を上り框における見付面の上下方向の幅及び床板の幅に等しい幅とし、この化粧シートを基板の表面に貼着することによって化粧材を形成し、この化粧材を上記柾目柄部と板目柄部の幅毎に切断して表面に柾目柄を設けた複数枚の床材と表面に板目柄を設けた複数枚の床材を得るか、或いは、この化粧材を表面に板目柄部とこの板目柄部の両側端のいずれかに隣接した所定幅の柾目柄部とからなる木目柄を有する複数枚の上り框材に分断するものであるから、この化粧板から表面が天然木に近似した優れた外観を呈し且つその表面の木目柄の異なった同一幅を有する複数枚の床材と、見付面が板目柄で天面が柾目柄とした意匠的にも優れた複数枚の上り框とのどちらであっても能率良く且つ正確に製造することができる。
【００１３】
さらに、請求項４に係る発明によれば、上記化粧材として、長方形状の基板の表面に一定幅を有し且つ帯状に長い柾目柄部と板目柄部と追柾目柄部とを複数列、板目柄部に柾目柄部又は追柾目柄部のいずれかが隣接した配列状態となるように印刷してなる化粧シートを貼着することにより形成した化粧材を使用し、この化粧材を上記柾目柄部と板目柄部及び追柾目柄部の幅毎に切断して表面にそれぞれの木目柄を設けた複数枚の床材を得るか、又は、この化粧材を表面に板目柄部とこの板目柄部の両側端のいずれかに隣接した柾目柄部又は追柾目柄部における所定幅の柾目柄部分とからなる木目柄を有する複数枚の上り框材に分断するものであるから、この化粧板から表面に天然木に近似した外観を呈する板目柄と柾目柄、及び追柾目柄を有する同一幅の床材を複数枚、能率よく且つ正確に製造することができと共に、これらの床材に代えて、見付面が板目柄で天面が柾目柄の天然木に近似した外観を呈する複数枚の上り框を容易に製造することができる。
【発明を実施するための最良の形態】
【００１４】
以下、本発明の実施の形態を図面に基づいて説明すると、図１は複数枚の床材又は上り框を得ることができる化粧材Ａの斜視図であって、この化粧材Ａは一定厚みを有する長方形状の基板１の表面に、互いに同一幅を有する柾目柄部３と板目柄部４とを複数、並列状態に印刷してなる化粧シート２を貼着してなるものである。
【００１５】
上記基板１としては合板を使用しているが、ＭＤＦ、火山性ガラス質複層板（例えば、大建工業株式会社製、商品名：ダイライト）等の適宜な板材を採用してもよい。この基板１の大きさは、図２に示すように細長基板1aの表面に上記柾目柄部３又は板目柄部４の化粧シート部分2aを設けてなる床材Ｂを複数枚、又は、図３に示すように細長基板1bの表面に上記板目柄部４と該板目柄部４の１／２幅の柾目柄部分3aとからなる化粧シート部分2bを設けてなる上り框材C'を複数枚得ることができる寸法に形成されてあり、例えば、幅が945mm 、長さが2020mm、厚さが12mmの長方形状板材からなるものである。なお、基板１として使用する合板は、その表面を研磨したのち、樹脂塗布と強化紙を介してのホットプレスによる熱処理でもって強化合板とされている。
【００１６】
この基板１上に貼着されている上記化粧シート２としては、一定厚みを有するオレフィン系の軟質合成樹脂シートを使用しているが化粧紙を採用してもよい。この化粧シート２は基板１と同一大きさの長方形状に形成されてあり、その表面に全長に亘って上記一定幅を有する帯状の柾目柄部３と板目柄部４とが複数、並列状態に印刷されている。これらの柾目柄部３と板目柄部４とは同一幅を有していると共にその幅寸法は、床材Ｂの幅及び上り框Ｃにおける見付面C1の上下端間の幅に等しく形成されている。即ち、床材Ｂの幅と上り框Ｃにおける見付面C1の上下端間の幅とを同一幅とし、柾目柄部３と板目柄部４の幅を床材Ｂの幅と上り框Ｃの見付面部分の幅とに共通した幅寸法に形成している。
【００１７】
化粧シート２に印刷されている上記柾目柄部３及び板目柄部４の具体的な幅寸法は略150mm 幅となるように形成されてあり、従って、基板１の幅（＝化粧シート２の幅）が上述したように、945mm 幅を有している場合には、化粧シート２の柾目柄部３と板目柄部４とが６列状態となるように設けられている。柾目柄部３と板目柄部４とは交互に印刷しておいてもよいが、上り框Ｃの天面C2の幅は見付面C1の上下端間の幅の１／２となるように形成されるので、柾目柄部３を中央にしてその両側に板目柄部４、４を配設した３列の木目柄配列形態を１組とし、これを複数組、並列した形態となるように印刷されている。即ち、図においてはこの３列の木目柄配列形態を２組設けてなり、柾目柄部３をその幅方向の中央部から切断して両側の板目柄部４、４とによりそれぞれ上り框材C'、C'が得られるように構成している。
【００１８】
次に、このように構成した化粧材Ａを分断して複数枚の床材Ｂ又は上り框Ｃを製造する方法について述べると、まず、床材Ｂを得る場合には、図４に示すように、化粧材Ａにおける柾目柄部３と板目柄部４との境界部分６と、隣接する板目柄部４、４との境界部分6'とを全長に亘って切断して図５に示すように細長基板1aの表面に化粧シート２における柾目柄部３の木目柄を設けた数本（図においては２本）の長尺な床材Ｂと、細長基板1aの表面に化粧シート２における板目柄部４の木目柄を設けた数本（図においては４本）の長尺な床材Ｂとを得る。しかるのち、これらの床材Ｂに実加工や表面塗装等を行って製品化するものである。なお、床材Ｂはその長さ方向に数分割しておいてもよい。
【００１９】
一方、上記化粧材Ａから複数枚の上り框Ｃを製造するには、図６に示すように、化粧材Ａにおける柾目柄部３の幅方向の中央部７と、板目柄部４、４同士が隣接状態で並列している部分においてはこれらの板目柄部４、４の境界部分7'とを全長に亘って切断して図７に示すように細長基板1bの表面に化粧シート２における板目柄部４の木目柄と１／２幅の柾目柄部3aの木目柄とが並列状態で設けられている数枚（図においては４枚）の上り框材C'を得る。次いで、これらの上り框材C'における板目柄部４と柾目柄部3aとの境界部分の裏面側における基板1bに図８に示すようにＶカット等の折り曲げ用溝10を形成したのち、図９に示すようにこの折り曲げ用溝10を介して直角に折り曲げると共に接着することにより、板目柄部４を見付面C1に、柾目柄部3aを天面C2とした上り框Ｃを製造する。なお、柾目柄部3aの端部側にも折り曲げ用溝を設けて端部を裏面側に巻き込むことにより、端面が該柾目柄部3aの端部によって被覆された端部加工を施しておいてもよい。
【００２０】
図10は、床材A1と上り框A2のいずれも製造することができる本発明化粧材の別な実施の形態を示すもので、上記化粧材Ａにおいては、化粧シート２として柾目柄と板目柄との２種類の木目柄を印刷してなるシートを使用しているが、この化粧材A'においては、柾目柄と板目柄と共に追柾目柄を印刷した化粧シート2'を使用し、この化粧シート2'を長方形状の合板等からなる上記基板１の表面に貼着してなるものである。詳しくは、この化粧シート2'は柾目柄部３と板目柄部４と追柾目柄部５とを並列状態に印刷してなり、これらの柾目柄部３と板目柄部４と追柾目柄部５とは同一幅に形成されていると共にその幅寸法は、上記化粧シート２と同様に、床材Ｂの幅及び上り框Ｃにおける見付面C1の上下端間の幅に等しく形成されている。即ち、床材Ｂの幅と上り框Ｃにおける見付面C1の上下端間の幅とを同一幅とし、これらの木目柄部３〜５の幅を床材Ｂの幅と上り框Ｃの見付面部分の幅とに共通した幅寸法に形成している。
【００２１】
化粧シート2'における上記柾目柄部３と板目柄部４及び追柾目柄部５との配列状態は、板目柄部４が柾目柄部３又は追柾目柄部５に対して交互に配設、即ち、一つおきとなるように配設されている。図においては板目柄部４、追柾目柄部５、板目柄部４、柾目柄部３、板目柄部４、追柾目柄部５とが順次並列した状態で設けられている。なお、追柾目柄部５においては、柾目柄部分5aと板目柄部分5bとが略同一幅、即ち、追柾目柄部５の１／２の幅に形成されていると共に、この追柾目柄部５の柾目柄部分5aが隣接する板目柄部４側に連設させた状態となるように印刷されている。
【００２２】
このように構成した化粧材A'を分断して複数枚の床材Ｂ又は上り框Ｃを製造する方法について述べると、まず、床材Ｂを得る場合には、図11に示すように、化粧材A'における柾目柄部３と板目柄部４との境界部分８と、板目柄部４と追柾目柄部５との境界部分8'とを切断して図12に示すように、細長基板1aの表面に化粧シート2'における柾目柄部３の木目柄を設けた（図においては１本の）長尺な床材Ｂと、細長基板1aの表面に化粧シート2'における板目柄部４の木目柄を設けた数本（図においては３本）の長尺な床材Ｂと、細長基板1aの表面に化粧シート2'における追柾目柄5'の木目柄を設けた数本（図においては２本）の長尺な床材Ｂとを得る。しかるのち、これらの床材Ｂに実加工や表面塗装等を行って製品化するものである。なお、床材Ｂは上記実施の形成と同様にその長さ方向に数分割しておいてもよい。
【００２３】
次に、上記化粧材A'から複数枚の上り框Ｃを製造するには、図13に示すように、化粧材A'における追柾目柄部５の柾目柄部分5aと板目柄部分5b間の境界部分９と、柾目柄部３の幅方向の中央部9'と、板目柄部４とこの板目柄部４に隣接した追柾目柄部５における板目柄部5bとの境界部分9'' 及び柾目柄部３と板目柄部４との境界部分9'''とを全長に亘って切断すると、図14に示すように、細長基板1bの表面に化粧シート2'における板目柄部４の木目柄と１／２幅の柾目柄部3aの木目柄とが並列状態で設けられている数枚（図においては１枚）の上り框材C'と、細長基板1bの表面に化粧シート2'における板目柄部４の木目柄と追柾目柄部５の柾目柄部分5aとが並列状態で設けられている数枚（図においては２枚）の上り框材C'とが得られる。この場合、追柾目柄部５における板目柄部分5bを有する化粧材部分は廃棄されることになる。
【００２４】
こうして得られた上り框材C'における板目柄部４と柾目柄部3a、5aとの境界部分の裏面側における細長基板1bに上記同様にＶカット等の折り曲げ用溝を形成したのち、この折り曲げ用溝を介して直角に折り曲げると共に接着することにより、板目柄部４を見付面C1に、柾目柄部3a、5aを天面C2とした上り框Ｃを製造するものである。なお、上記いずれの化粧材Ａ、A'においても、複数枚の床材Ｂや上り框Ｃ以外に、例えば、板目柄部４を見付面としこの見付面の上下端から後方に向かって板目柄部４の１／２幅の柾目柄部からなる上下面を屈折形成した玄関幅木（付け框）を製造することも可能である。
【図面の簡単な説明】
【００２５】
【図１】本発明の化粧材の斜視図。
【図２】表面に柾目柄部と板目柄部とをそれぞれ設けた２枚の床材の斜視図。
【図３】上り框材の斜視図。
【図４】床材の製造方法を説明するための化粧材の簡略平面図。
【図５】複数枚の床材に分割した状態の簡略平面図。
【図６】上り框の製造方法を説明するための化粧材の簡略平面図。
【図７】複数枚の上り框材に分割した状態の簡略平面図。
【図８】上り框材に折り曲げ用溝加工を施した状態の一部の斜視図。
【図９】形成した上り框の一部の斜視図。
【図１０】本発明の別な化粧材の斜視図。
【図１１】床材の製造方法を説明するための化粧材の簡略平面図。
【図１２】複数枚の床材に分割した状態の簡略平面図。
【図１３】上り框の製造方法を説明するための化粧材の簡略平面図。
【図１４】複数枚の上り框材に分割した状態の簡略平面図。
【符号の説明】
【００２６】
Ａ  化粧材
１  基板
２  化粧シート
３  柾目柄部
４  板目柄部
５  追柾目柄部
【図１】
2007009489.tif 000003
【図２】
2007009489.tif 000004
【図３】
2007009489.tif 000005
【図４】
2007009489.tif 000006
【図５】
2007009489.tif 000007
【図６】
2007009489.tif 000008
【図７】
2007009489.tif 000009
【図８】
2007009489.tif 000010
【図９】
2007009489.tif 000011
【図１０】
2007009489.tif 000012
【図１１】
2007009489.tif 000013
【図１２】
2007009489.tif 000014
【図１３】
2007009489.tif 000015
【図１４】
2007009489.tif 000016